【手続補正書】
【提出日】平成25年11月27日(2013.11.27)
【手続補正１】
【補正対象書類名】特許請求の範囲
【補正対象項目名】全文
【補正方法】変更
【補正の内容】
【特許請求の範囲】
【請求項１】
オイラー角（−１．５°≦φ≦１．５°，１１７°≦θ≦１４２°，４２．７９°≦｜ψ｜≦４９．５７°）の水晶基板と、
前記水晶基板上に設けられ、複数の電極指を含み、ストップバンド上端モードの弾性表面波を励振するＩＤＴと、
平面視で、前記電極指の間に位置する前記水晶基板の部分にある電極指間溝と、を備え、
前記電極指間溝の間に配置されている前記水晶基板の凸部のライン占有率をηｇ、前記凸部上に配置されている前記電極指のライン占有率をηｅとし、
前記ＩＤＴの実効ライン占有率ηｅｆｆを前記ライン占有率ηｇと前記ライン占有率ηｅとの相加平均として、下式の関係を満たすことを特徴とする弾性表面波共振子。
2012120138.tif 000001
2012120138.tif 000002
【請求項２】
請求項１に記載の弾性表面波共振子において、
前記弾性表面波の波長をλ、前記電極指間溝の深さをＧ、前記ＩＤＴの電極膜厚をＨとし、前記電極指間溝の深さＧを前記弾性表面波の波長λで除した値Ｇ／λと、前記実効ライン占有率ηｅｆｆとによる平面座標を（Ｇ／λ、ηｅｆｆ）として、前記平面座標（Ｇ／λ、ηｅｆｆ）が、
（１）０．０００λ＜Ｈ≦０．００５λの場合、
（０．０１０、０．７１０）、（０．０２０、０．７１０）、（０．０３０、０．７１０）、（０．０４０、０．７１０）、（０．０５０、０．７１０）、（０．０６０、０．７１０）、（０．０７０、０．７１０）、（０．０８０、０．７１０）、（０．０９０、０．７１０）、（０．０９０、０．４２０）、（０．０８０、０．５７０）、（０．０７０、０．５９０）、（０．０６０、０．６１５）、（０．０５０、０．６３０）、（０．０４０、０．６３５）、（０．０３０、０．６５０）、（０．０２０、０．６７０）、（０．０１０、０．７１０）の順に結ぶ線で囲まれた範囲、
及び、（０．０３０、０．５９０）、（０．０４０、０．５８０）、（０．０５０、０．５５０）、（０．０６０、０．５２０）、（０．０７０、０．４８０）、（０．０８０、０．４５０）、（０．０９０、０．４００）、（０．０９０、０．１８０）、（０．０８０、０．３４０）、（０．０７０、０．４１０）、（０．０６０、０．４６０）、（０．０５０、０．４９０）、（０．０４０、０．５２０）、（０．０３０、０．５５０）、（０．０３０、０．５９０）の順に結ぶ線で囲まれた範囲の何れかに含まれ、
（２）０．００５λ＜Ｈ≦０．０１０λの場合、
（０．０１０、０．７７０）、（０．０２０、０．７４０）、（０．０３０、０．７１５）、（０．０４０、０．７３０）、（０．０５０、０．７４０）、（０．０６０、０．７３０）、（０．０７０、０．７３０）、（０．０８０、０．７３０）、（０．０８０、０．５００）、（０．０７０、０．５７０）、（０．０６０、０．６１０）、（０．０５０、０．６３０）、（０．０４０、０．６３５）、（０．０３０、０．６５５）、（０．０２０、０．６８０）、（０．０１０、０．７６０）、（０．０１０、０．７７０）の順に結ぶ線で囲まれた範囲、
及び、（０．０２０、０．６５０）、（０．０３０、０．６１０）、（０．０４０、０．５７０）、（０．０５０、０．５５０）、（０．０６０、０．５２０）、（０．０７０、０．４７０）、（０．０７０、０．３７０）、（０．０６０、０．４４０）、（０．０５０、０．４８０）、（０．０４０、０．５２０）、（０．０３０、０．５５０）、（０．０２０、０．５９０）、（０．０２０、０．６５０）の順に結ぶ線で囲まれた範囲の何れかに含まれ、
（３）０．０１０λ＜Ｈ≦０．０１５λの場合、
（０．０１０、０．７７０）、（０．０２０、０．７６０）、（０．０３０、０．７６０）、（０．０４０、０．７５０）、（０．０５０、０．７５０）、（０．０６０、０．７５０）、（０．０７０、０．７４０）、（０．０８０、０．７４０）、（０．０８０、０．３４０）、（０．０７０、０．５４５）、（０．０６０、０．５９０）、（０．０５０、０．６２０）、（０．０４０、０．６４５）、（０．０３０、０．６７０）、（０．０２０、０．７０５）、（０．０１０、０．７６０）、（０．０１０、０．７７０）の順に結ぶ線で囲まれた範囲、
及び、（０．０１０、０．７４０）、（０．０２０、０．６５０）、（０．０３０、０．６１０）、（０．０４０、０．５７０）、（０．０５０、０．５４０）、（０．０６０、０．４８０）、（０．０７０、０．４３０）、（０．０７０、０．３５０）、（０．０６０、０．４２０）、（０．０５０、０．４７０）、（０．０４０、０．５１０）、（０．０３０、０．５５０）、（０．０２０、０．６１０）、（０．０１０、０．７００）、（０．０１０、０．７４０）の順に結ぶ線で囲まれた範囲の何れかに含まれ、
（４）０．０１５λ＜Ｈ≦０．０２０λの場合、
（０．０１０、０．７７０）、（０．０２０、０．７７０）、（０．０３０、０．７６０）、（０．０４０、０．７６０）、（０．０５０、０．７６０）、（０．０６０、０．７５０）、（０．０７０、０．７５０）、（０．０７０、０．５１０）、（０．０６０、０．５７０）、（０．０５０、０．６２０）、（０．０４０、０．６４０）、（０．０３０、０．６６０）、（０．０２０、０．６７５）、（０．０１０、０．７００）、（０．０１０、０．７７０）の順に結ぶ線の範囲、
及び、（０．０１０、０．６９０）、（０．０２０、０．６４０）、（０．０３０、０．５９０）、（０．０４０、０．５５０）、（０．０５０、０．５１０）、（０．０６０、０．４７０）、（０．０７０、０．４１５）、（０．０７０、０．２８０）、（０．０６０、０．３８０）、（０．０５０、０．４７０）、（０．０４０、０．５１０）、（０．０３０、０．５５０）、（０．０２０、０．６１０）、（０．０１０、０．６８０）、（０．０１０、０．６９０）の順に結ぶ線で囲まれた範囲の何れかに含まれ、
（５）０．０２０λ＜Ｈ≦０．０２５λの場合、
（０．０１０、０．７７０）、（０．０２０、０．７７０）、（０．０３０、０．７６０）、（０．０４０、０．７６０）、（０．０５０、０．７６０）、（０．０６０、０．７６０）、（０．０７０、０．７６０）、（０．０７０、０．５５０）、（０．０６０、０．５４５）、（０．０５０、０．５９０）、（０．０４０、０．６２０）、（０．０３０、０．６４５）、（０．０２０、０．６８０）、（０．０１０、０．７００）、（０．０１０、０．７７０）の順に結ぶ線で囲まれた範囲、
及び、（０．０１０、０．６９０）、（０．０２０、０．６４０）、（０．０３０、０．５９０）、（０．０４０、０．５５０）、（０．０５０、０．５１０）、（０．０６０、０．４２０）、（０．０７０、０．４１５）、（０．０７０、０．３４０）、（０．０６０、０．３４０）、（０．０５０、０．４２０）、（０．０４０、０．４７０）、（０．０３０、０．５２０）、（０．０２０、０．５８０）、（０．０１０、０．６５０）、（０．０１０、０．６９０）の順に結ぶ線で囲まれた範囲の何れかに含まれ、
（６）０．０２５λ＜Ｈ≦０．０３０λの場合、
（０．０１０、０．７７０）、（０．０２０、０．７７０）、（０．０３０、０．７７０）、（０．０４０、０．７６０）、（０．０５０、０．７６０）、（０．０６０、０．７６０）、（０．０７０、０．７６０）、（０．０７０、０．５５０）、（０．０６０、０．５０５）、（０．０５０、０．５９０）、（０．０４０、０．６２０）、（０．０３０、０．６４５）、（０．０２０、０．６８０）、（０．０１０、０．７００）、（０．０１０、０．７７０）の順に結ぶ線で囲まれた範囲、
及び、（０．０１０、０．６７０）、（０．０２０、０．６０５）、（０．０３０、０．５６０）、（０．０４０、０．５２０）、（０．０５０、０．４７０）、（０．０６０、０．３９５）、（０．０７０、０．５００）、（０．０７０、０．４９０）、（０．０６０、０．２７０）、（０．０５０、０．４１０）、（０．０４０、０．４７０）、（０．０３０、０．５２０）、（０．０２０、０．５８０）、（０．０１０、０．６２０）、（０．０１０、０．６７０）の順に結ぶ線で囲まれた範囲の何れかに含まれ、
（７）０．０３０λ＜Ｈ≦０．０３５λの場合、
（０．０１０、０．７７０）、（０．０２０、０．７７０）、（０．０３０、０．７７０）、（０．０４０、０．７６０）、（０．０５０、０．７６０）、（０．０６０、０．７６０）、（０．０７０、０．７６０）、（０．０７０、０．５５０）、（０．０６０、０．５００）、（０．０５０、０．５４５）、（０．０４０、０．５９０）、（０．０３０、０．６２５）、（０．０２０、０．６５０）、（０．０１０、０．６８０）、（０．０１０、０．７７０）の順に結ぶ線で囲まれた範囲、
及び、（０．０１０、０．６５５）、（０．０２０、０．５９０）、（０．０３０、０．５４０）、（０．０４０、０．４９５）、（０．０５０、０．４３５）、（０．０６０、０．３９５）、（０．０７０、０．５００）、（０．０７０、０．５５０）、（０．０６０、０．３８０）、（０．０５０、０．３３０）、（０．０４０、０．４１０）、（０．０３０、０．４７０）、（０．０２０、０．５２０）、（０．０１０、０．５９０）、（０．０１０、０．６５５）の順に結ぶ線で囲まれた範囲の何れかに含まれることを特徴とする弾性表面波共振子。
【請求項３】
請求項１に記載の弾性表面波共振子において、
前記電極指間溝の深さＧと前記実効ライン占有率ηｅｆｆとが
2012120138.tif 000003
2012120138.tif 000004
の関係を満たすことを特徴とする弾性表面波共振子。
【請求項４】
請求項３に記載の弾性表面波共振子であって、
前記ＩＤＴの電極膜厚Ｈが、
2012120138.tif 000005
の関係を満たすことを特徴とする弾性表面波共振子。
【請求項５】
請求項４に記載の弾性表面波共振子であって、
前記実効ライン占有率ηｅｆｆが、
2012120138.tif 000006
の関係を満たすことを特徴とする弾性表面波共振子。
【請求項６】
請求項２、請求項４、請求項５のいずれか１項に記載の弾性表面波共振子であって、
前記電極指間溝の深さＧと前記電極膜厚Ｈとの和が、
2012120138.tif 000007
の関係を満たすことを特徴とする弾性表面波共振子。
【請求項７】
請求項１乃至請求項６のいずれか１項に記載の弾性表面波共振子であって、前記ψと前記θが、
2012120138.tif 000008
の関係を満たすことを特徴とする弾性表面波共振子。
【請求項８】
請求項１乃至請求項７のいずれか１項に記載の弾性表面波共振子であって、
前記ＩＤＴにおけるストップバンド上端モードの周波数をｆｔ２、前記ＩＤＴを弾性表面波の伝搬方向に挟み込むように配置される反射器におけるストップバンド下端モードの周波数をｆｒ１、前記反射器のストップバンド上端モードの周波数をｆｒ２として、
2012120138.tif 000009
の関係を満たすことを特徴とする弾性表面波共振子。
【請求項９】
請求項８に記載の弾性表面波共振子であって、
前記反射器を構成する導体ストリップ間に、前記導体ストリップの間に位置する前記水晶基板の部分にある導体ストリップ間溝を備え、
前記電極指間溝よりも前記導体ストリップ間溝の深さの方が浅いことを特徴とする弾性表面波共振子。
【請求項１０】
請求項１乃至請求項９のいずれか１項に記載の弾性表面波共振子と、前記ＩＤＴを駆動するための回路を備えたことを特徴とする弾性表面波発振器。
【請求項１１】
請求項１乃至請求項９いずれか１項に記載の弾性表面波共振子を備えたことを特徴とする電子機器。
【手続補正２】
【補正対象書類名】明細書
【補正対象項目名】００１６
【補正方法】変更
【補正の内容】
【００１６】
本発明は上記課題の少なくとも一部を解決するためになされたものであり、以下の形態または適用例として実現することが可能である。
第１の形態に係る弾性表面波共振子は、オイラー角（−１．５°≦φ≦１．５°，１１７°≦θ≦１４２°，４２．７９°≦｜ψ｜≦４９．５７°）の水晶基板と、前記水晶基板上に設けられ、複数の電極指を含み、ストップバンド上端モードの弾性表面波を励振するＩＤＴと、平面視で、前記電極指の間に位置する前記水晶基板の部分にある電極指間溝と、を備え、前記電極指間溝の間に配置されている前記水晶基板の凸部のライン占有率をηｇ、前記凸部上に配置されている前記電極指のライン占有率をηｅとし、前記ＩＤＴの実効ライン占有率ηｅｆｆを前記ライン占有率ηｇと前記ライン占有率ηｅとの相加平均として、下式の関係を満たすことを特徴とする。
2012120138.tif 000010
2012120138.tif 000011
第２の形態に係る弾性表面波共振子は、第１の形態の弾性表面波共振子において、前記弾性表面波の波長をλ、前記電極指間溝の深さをＧ、前記ＩＤＴの電極膜厚をＨとし、前記電極指間溝の深さＧを前記弾性表面波の波長λで除した値Ｇ／λと、前記実効ライン占有率ηｅｆｆとによる平面座標を（Ｇ／λ、ηｅｆｆ）として、前記平面座標（Ｇ／λ、ηｅｆｆ）が、
（１）０．０００λ＜Ｈ≦０．００５λの場合、
（０．０１０、０．７１０）、（０．０２０、０．７１０）、（０．０３０、０．７１０）、（０．０４０、０．７１０）、（０．０５０、０．７１０）、（０．０６０、０．７１０）、（０．０７０、０．７１０）、（０．０８０、０．７１０）、（０．０９０、０．７１０）、（０．０９０、０．４２０）、（０．０８０、０．５７０）、（０．０７０、０．５９０）、（０．０６０、０．６１５）、（０．０５０、０．６３０）、（０．０４０、０．６３５）、（０．０３０、０．６５０）、（０．０２０、０．６７０）、（０．０１０、０．７１０）の順に結ぶ線で囲まれた範囲、
及び、（０．０３０、０．５９０）、（０．０４０、０．５８０）、（０．０５０、０．５５０）、（０．０６０、０．５２０）、（０．０７０、０．４８０）、（０．０８０、０．４５０）、（０．０９０、０．４００）、（０．０９０、０．１８０）、（０．０８０、０．３４０）、（０．０７０、０．４１０）、（０．０６０、０．４６０）、（０．０５０、０．４９０）、（０．０４０、０．５２０）、（０．０３０、０．５５０）、（０．０３０、０．５９０）の順に結ぶ線で囲まれた範囲の何れかに含まれ、
（２）０．００５λ＜Ｈ≦０．０１０λの場合、
（０．０１０、０．７７０）、（０．０２０、０．７４０）、（０．０３０、０．７１５）、（０．０４０、０．７３０）、（０．０５０、０．７４０）、（０．０６０、０．７３０）、（０．０７０、０．７３０）、（０．０８０、０．７３０）、（０．０８０、０．５００）、（０．０７０、０．５７０）、（０．０６０、０．６１０）、（０．０５０、０．６３０）、（０．０４０、０．６３５）、（０．０３０、０．６５５）、（０．０２０、０．６８０）、（０．０１０、０．７６０）、（０．０１０、０．７７０）の順に結ぶ線で囲まれた範囲、
及び、（０．０２０、０．６５０）、（０．０３０、０．６１０）、（０．０４０、０．５７０）、（０．０５０、０．５５０）、（０．０６０、０．５２０）、（０．０７０、０．４７０）、（０．０７０、０．３７０）、（０．０６０、０．４４０）、（０．０５０、０．４８０）、（０．０４０、０．５２０）、（０．０３０、０．５５０）、（０．０２０、０．５９０）、（０．０２０、０．６５０）の順に結ぶ線で囲まれた範囲の何れかに含まれ、
（３）０．０１０λ＜Ｈ≦０．０１５λの場合、
（０．０１０、０．７７０）、（０．０２０、０．７６０）、（０．０３０、０．７６０）、（０．０４０、０．７５０）、（０．０５０、０．７５０）、（０．０６０、０．７５０）、（０．０７０、０．７４０）、（０．０８０、０．７４０）、（０．０８０、０．３４０）、（０．０７０、０．５４５）、（０．０６０、０．５９０）、（０．０５０、０．６２０）、（０．０４０、０．６４５）、（０．０３０、０．６７０）、（０．０２０、０．７０５）、（０．０１０、０．７６０）、（０．０１０、０．７７０）の順に結ぶ線で囲まれた範囲、
及び、（０．０１０、０．７４０）、（０．０２０、０．６５０）、（０．０３０、０．６１０）、（０．０４０、０．５７０）、（０．０５０、０．５４０）、（０．０６０、０．４８０）、（０．０７０、０．４３０）、（０．０７０、０．３５０）、（０．０６０、０．４２０）、（０．０５０、０．４７０）、（０．０４０、０．５１０）、（０．０３０、０．５５０）、（０．０２０、０．６１０）、（０．０１０、０．７００）、（０．０１０、０．７４０）の順に結ぶ線で囲まれた範囲の何れかに含まれ、
（４）０．０１５λ＜Ｈ≦０．０２０λの場合、
（０．０１０、０．７７０）、（０．０２０、０．７７０）、（０．０３０、０．７６０）、（０．０４０、０．７６０）、（０．０５０、０．７６０）、（０．０６０、０．７５０）、（０．０７０、０．７５０）、（０．０７０、０．５１０）、（０．０６０、０．５７０）、（０．０５０、０．６２０）、（０．０４０、０．６４０）、（０．０３０、０．６６０）、（０．０２０、０．６７５）、（０．０１０、０．７００）、（０．０１０、０．７７０）の順に結ぶ線の範囲、
及び、（０．０１０、０．６９０）、（０．０２０、０．６４０）、（０．０３０、０．５９０）、（０．０４０、０．５５０）、（０．０５０、０．５１０）、（０．０６０、０．４７０）、（０．０７０、０．４１５）、（０．０７０、０．２８０）、（０．０６０、０．３８０）、（０．０５０、０．４７０）、（０．０４０、０．５１０）、（０．０３０、０．５５０）、（０．０２０、０．６１０）、（０．０１０、０．６８０）、（０．０１０、０．６９０）の順に結ぶ線で囲まれた範囲の何れかに含まれ、
（５）０．０２０λ＜Ｈ≦０．０２５λの場合、
（０．０１０、０．７７０）、（０．０２０、０．７７０）、（０．０３０、０．７６０）、（０．０４０、０．７６０）、（０．０５０、０．７６０）、（０．０６０、０．７６０）、（０．０７０、０．７６０）、（０．０７０、０．５５０）、（０．０６０、０．５４５）、（０．０５０、０．５９０）、（０．０４０、０．６２０）、（０．０３０、０．６４５）、（０．０２０、０．６８０）、（０．０１０、０．７００）、（０．０１０、０．７７０）の順に結ぶ線で囲まれた範囲、
及び、（０．０１０、０．６９０）、（０．０２０、０．６４０）、（０．０３０、０．５９０）、（０．０４０、０．５５０）、（０．０５０、０．５１０）、（０．０６０、０．４２０）、（０．０７０、０．４１５）、（０．０７０、０．３４０）、（０．０６０、０．３４０）、（０．０５０、０．４２０）、（０．０４０、０．４７０）、（０．０３０、０．５２０）、（０．０２０、０．５８０）、（０．０１０、０．６５０）、（０．０１０、０．６９０）の順に結ぶ線で囲まれた範囲の何れかに含まれ、
（６）０．０２５λ＜Ｈ≦０．０３０λの場合、
（０．０１０、０．７７０）、（０．０２０、０．７７０）、（０．０３０、０．７７０）、（０．０４０、０．７６０）、（０．０５０、０．７６０）、（０．０６０、０．７６０）、（０．０７０、０．７６０）、（０．０７０、０．５５０）、（０．０６０、０．５０５）、（０．０５０、０．５９０）、（０．０４０、０．６２０）、（０．０３０、０．６４５）、（０．０２０、０．６８０）、（０．０１０、０．７００）、（０．０１０、０．７７０）の順に結ぶ線で囲まれた範囲、
及び、（０．０１０、０．６７０）、（０．０２０、０．６０５）、（０．０３０、０．５６０）、（０．０４０、０．５２０）、（０．０５０、０．４７０）、（０．０６０、０．３９５）、（０．０７０、０．５００）、（０．０７０、０．４９０）、（０．０６０、０．２７０）、（０．０５０、０．４１０）、（０．０４０、０．４７０）、（０．０３０、０．５２０）、（０．０２０、０．５８０）、（０．０１０、０．６２０）、（０．０１０、０．６７０）の順に結ぶ線で囲まれた範囲の何れかに含まれ、
（７）０．０３０λ＜Ｈ≦０．０３５λの場合、
（０．０１０、０．７７０）、（０．０２０、０．７７０）、（０．０３０、０．７７０）、（０．０４０、０．７６０）、（０．０５０、０．７６０）、（０．０６０、０．７６０）、（０．０７０、０．７６０）、（０．０７０、０．５５０）、（０．０６０、０．５００）、（０．０５０、０．５４５）、（０．０４０、０．５９０）、（０．０３０、０．６２５）、（０．０２０、０．６５０）、（０．０１０、０．６８０）、（０．０１０、０．７７０）の順に結ぶ線で囲まれた範囲、
及び、（０．０１０、０．６５５）、（０．０２０、０．５９０）、（０．０３０、０．５４０）、（０．０４０、０．４９５）、（０．０５０、０．４３５）、（０．０６０、０．３９５）、（０．０７０、０．５００）、（０．０７０、０．５５０）、（０．０６０、０．３８０）、（０．０５０、０．３３０）、（０．０４０、０．４１０）、（０．０３０、０．４７０）、（０．０２０、０．５２０）、（０．０１０、０．５９０）、（０．０１０、０．６５５）の順に結ぶ線で囲まれた範囲の何れかに含まれることを特徴とする。
第３の形態に係る弾性表面波共振子は、第１の形態に係る弾性表面波共振子において、前記電極指間溝の深さＧと前記実効ライン占有率ηｅｆｆとが
2012120138.tif 000012
2012120138.tif 000013
の関係を満たすことを特徴とする弾性表面波共振子。
第４の形態に係る弾性表面波共振子は、第３の形態に係る弾性表面波共振子であって、前記ＩＤＴの電極膜厚Ｈが、
2012120138.tif 000014
の関係を満たすことを特徴とする。
第５の形態に係る弾性表面波共振子は、第４の形態に係る弾性表面波共振子であって、前記実効ライン占有率ηｅｆｆが、
2012120138.tif 000015
の関係を満たすことを特徴とする。
第６の形態に係る弾性表面波共振子は、第２、第４、第５のいずれか１つの形態に係る弾性表面波共振子であって、前記電極指間溝の深さＧと前記電極膜厚Ｈとの和が、
2012120138.tif 000016
の関係を満たすことを特徴とする。
第７の形態に係る弾性表面波共振子は、第１乃至第６のいずれか１つの形態に弾性表面波共振子であって、前記ψと前記θが、
2012120138.tif 000017
の関係を満たすことを特徴とする。
第８の形態に係る弾性表面波共振子は、第１乃至第７のいずれか１つの形態に係る弾性表面波共振子であって、前記ＩＤＴにおけるストップバンド上端モードの周波数をｆｔ２、前記ＩＤＴを弾性表面波の伝搬方向に挟み込むように配置される反射器におけるストップバンド下端モードの周波数をｆｒ１、前記反射器のストップバンド上端モードの周波数をｆｒ２として、
2012120138.tif 000018
の関係を満たすことを特徴とする。
第９の形態に係る弾性表面波共振子は、第８の形態に係る弾性表面波共振子であって、前記反射器を構成する導体ストリップ間に、前記導体ストリップの間に位置する前記水晶基板の部分にある導体ストリップ間溝を備え、前記電極指間溝よりも前記導体ストリップ間溝の深さの方が浅いことを特徴とする弾性表面波共振子。
第１０の形態に係る弾性表面波共振子は、第１乃至第９のいずれか１つの形態に係る弾性表面波共振子と、前記ＩＤＴを駆動するための回路を備えたことを特徴とする弾性表面波発振器。
本形態に係る電子機器は、第１乃至第９いずれか１つの形態に係る弾性表面波共振子を備えたことを特徴とする。
［適用例１］オイラー角（−１．５°≦φ≦１．５°，１１７°≦θ≦１４２°，４２．７９°≦｜ψ｜≦４９．５７°）の水晶基板と、前記水晶基板上に設けられ、複数の電極指を含み、ストップバンド上端モードの弾性表面波を励振するＩＤＴと、を備え、平面視で、前記電極指の間の位置に、前記水晶基板の窪である電極指間溝を配置し、前記電極指間溝の間に配置されている前記水晶基板の凸部のライン占有率をηｇ、前記凸部上に配置されている前記電極指のライン占有率をηｅとし、前記ＩＤＴの実効ライン占有率ηｅｆｆを前記ライン占有率ηｇと前記ライン占有率ηｅとの相加平均とした場合、下式の関係を満たすことを特徴とする弾性表面波共振子。
【数１】
2012120138.tif 000019
【数２】
2012120138.tif 000020